(57)【要約】【課題】フィードバック発振音の発生を効果的に防止可能な孔付き柱状管を提供する。【解決手段】本発明に係る孔付き柱状管１は、管２の周壁２１に管２の内外に貫通するように設けられた孔５と、周壁２１の外面２２における孔５の縁部（周縁部８）に設けられて外面２２より突出する突出部７とを備え、突出部７の表面７１が角を有しない形状に形成されたことを特徴とする。突出部が、周壁の外面と孔の内面とに跨って周壁の外面側における孔縁を覆うように設けられたり、突出部が、周壁の外面と孔の内面と周壁の内面とに跨って周壁の外面側における孔縁及び周壁の内面側における孔縁を覆うように設けられたことも特徴とする。【選択図】図１
2009243497.tif 000002
【特許請求の範囲】
【請求項１】
管の周壁に管の内外に貫通するように設けられた孔と、周壁の外面における孔の縁部に設けられて外面より突出する突出部とを備え、突出部の表面が角を有しない形状に形成されたことを特徴とする孔付き柱状管。
【請求項２】
突出部が、周壁の外面と孔の内面とに跨って周壁の外面側における孔縁を覆うように設けられたことを特徴とする請求項１に記載の孔付き柱状管。
【請求項３】
突出部が、周壁の外面と孔の内面と周壁の内面とに跨って周壁の外面側における孔縁及び周壁の内面側における孔縁を覆うように設けられたことを特徴とする請求項１に記載の孔付き柱状管。
【請求項４】
突出部は、孔縁に沿って連続的に設けられたことを特徴とする請求項１乃至請求項３のいずれかに記載の孔付き柱状管。
【請求項５】
突出部は、孔縁に沿って断続的に設けられたことを特徴とする請求項１乃至請求項３のいずれかに記載の孔付き柱状管。
【発明の詳細な説明】
【技術分野】
【０００１】
本発明は、フィードバック発振音の発生を効果的に防止可能な孔付き柱状管に関する。
【背景技術】
【０００２】
架線吊り、アンテナ素子、仮設枠組足場などに用いられる柱状管（パイプ）として、柱状管の周壁に管の内外に貫通する複数の孔を備えた構成の孔付き柱状管が知られている（例えば、特許文献１等参照）。
上記複数の孔は、柱状管の内側にめっきを塗布するためや、雨水抜き用、ボルト通し用などに利用される。柱状管は、鋼材、プラスチック、ＦＲＰなどの材料により形成される。
例えば図５に示すように、従来の孔付き柱状管１Ａは、管２の周壁２１に管２の中心線３と直交する１つの線を中心線４とする２つの孔５；５を備える。孔５は、図６に示すように、周壁２１の外面２２と内面２３とに貫通する。
【特許文献１】特開平７−１７８８５８号公報
【発明の開示】
【発明が解決しようとする課題】
【０００３】
従来の孔付き柱状管１Ａの場合、図６に示すように、風Ｆの方向が孔５の中心線４と交差（例えば直交）する方向である場合、風Ｆが管２から離れる孔縁（エッジ）Ａにおいて風の渦Ｆ１が放出され、この渦Ｆ１が風の流れに乗って下流側の孔縁（エッジ）Ｂに衝突して音を発生させるとともに、ここで発生する圧力波Ｆ２が上流の孔縁Ａに伝播して次の渦Ｆ１を作るという現象が周期的に繰り返されることによって、いわゆる、フィードバック発振音（風切り音）が発生する。従来、孔付き柱状管１Ａでは、２つの孔５；５の中心線４が同じであるので、上述したように、例えば、２つ孔５；５の中心線４と交差する方向の風Ｆが吹くと、２つの孔５；５においてそれぞれフィードバック発振音が発生する。
そこで、本発明は、フィードバック発振音の発生を効果的に防止できる孔付き柱状管を提供する。
【課題を解決するための手段】
【０００４】
本発明に係る孔付き柱状管は、管の周壁に管の内外に貫通するように設けられた孔と、周壁の外面における孔の縁部に設けられて外面より突出する突出部とを備え、突出部の表面が角を有しない形状に形成されたことを特徴とする。
突出部が、周壁の外面と孔の内面とに跨って周壁の外面側における孔縁を覆うように設けられたことも特徴とする。
突出部が、周壁の外面と孔の内面と周壁の内面とに跨って周壁の外面側における孔縁及び周壁の内面側における孔縁を覆うように設けられたことも特徴とする。
突出部は、孔縁に沿って連続的に設けられたことも特徴とする。
突出部は、孔縁に沿って断続的に設けられたことも特徴とする。
【発明の効果】
【０００５】
本発明による孔付き柱状管によれば、表面が角を有しない形状の突出部を備えたので、周壁の外面に沿って流れる風の流れが突出部によって乱れるため、孔での周期的な渦の発生を防止でき、フィードバック発振音の発生を効果的に防止できる。
突出部が、周壁の外面と孔の内面とに跨って周壁の外面側における孔縁を覆うように設けられた場合、孔縁の角部が突出部によって丸められた形状となる。これにより、孔縁の角部及び孔での周期的な渦の発生を効果的に防止できる。
突出部が、周壁の外面と孔の内面と周壁の内面とに跨って周壁の外面側における孔縁及び周壁の内面側における孔縁を覆うように設けられた場合、周壁の外面と孔の内面と周壁の内面とに対応した形状の凹部を備えたリング体や突出部形成体を用いて突出部を形成する際、凹部を孔の内面側に嵌め込むことでリング体や突出部形成体を簡単に取り付けることができ、突出部を管に容易に形成できる。
突出部を、孔縁に沿って連続的又は断続的に設けることで、周壁の外面に沿って流れる風の流れが突出部によって乱れるため、孔での周期的な渦の発生を防止でき、フィードバック発振音の発生を効果的に防止できる。
【発明を実施するための最良の形態】
【０００６】
最良の形態１．
図１（ａ）；（ｂ）に示すように、孔付き柱状管１は、端部閉塞又は端部開放の断面円形状に形成された管２であり、管２の周壁２１に周壁２１の内外に貫通するように設けられた１つ以上の孔５と、周壁２１の外面２２より突出する突出部７とを備える。突出部７は、周壁２１の外面２２における孔５の周縁６の周囲を取り囲むように周壁２１の外面２２における孔５の周縁部８に取り付けられたリング体７０により形成される。ここで、周壁２１の外面２２における孔５の周縁部８とは、周壁２１の外面２２側の孔５の周縁６と当該孔５の周縁６から所定距離だけ離れた位置との間に位置する外面２２の領域を言う。尚、所定距離は、例えば孔の半径程度以下である。
【０００７】
外面２２における孔５の周縁部８に取り付けられたリング体７０の外面２２より突出した表面７１が角を有しない形状に形成される。例えば、周縁部８に取り付けられたリング体７０を孔５の中心線４に沿って切断した突出部７の表面７１の形状が、山形状、円弧形状などのように角を有しない形状に形成される。換言すれば、突出部７は、取付面７２が周縁部８に取り付けられたことで、角を有しない形状の表面７１を孔５の周縁６に沿って連続的に形成するリング体７０により構成される。
【０００８】
リング体７０の内周径と孔５の孔径とを同径にすれば、リング体７０の内周縁７５と孔５の周縁６とを合わせるようにしてリング体７０を周縁部８に取り付けることができるので、リング体７０を周縁部８に正確かつ容易に取り付けることができる（図１参照）。
【０００９】
孔５の孔径より大きい径の内周径を備えたリング体７０を用いてリング体７０の内周縁７５を孔の周縁６の外側に位置させても良い。この場合の、リング体７０の内周縁７５と孔５の周縁６との間の所定距離は、上述した例えば孔の半径程度以下とすることが好ましい。
【００１０】
最良の形態１の孔付き柱状管１によれば、周縁部８に設けられて外面２２より突出した表面７１が角を有しない形状に形成された突出部７を備えたので、外面２２に沿って流れる風の流れが突出部７によって乱れるため、孔５での周期的な渦の発生を防止でき、フィードバック発振音の発生を効果的に防止できる。
【００１１】
最良の形態２．
図２に示すように、孔付き柱状管１は、端部閉塞又は端部開放の断面円形状に形成された管２であり、管２の周壁２１に周壁２１の内外に貫通するように設けられた１つ以上の孔５と、周壁２１の外面２２と孔５の内周面１１とに跨って周壁２１の外面２２側における孔５の周縁６を覆うように設けられた突出部７とを備える。突出部７は、管２に取り付けられて表面７１が角を有しない形状に形成されたリング体７０Ａにより形成される。リング体７０Ａは、周壁２１の外面２２と孔５の内周面１１との境界部分により形成されて周縁６に沿って連続する角部１５の表面に係合する形状に形成された環状の凹部１６を備え、当該凹部１６と角部１５とが係合されて凹部１６と角部１５とが互いに接着などで取り付けられる。そして、例えば、角部１５に取り付けられたリング体７０Ａを孔５の中心線４に沿って切断した突出部７の表面７１の形状が、円弧形状などのように角を有しない形状に形成される。換言すれば、突出部７は、孔５の角部１５に取り付けられたことで、山形状、円弧形状などのように角を有しない形状の表面７１を孔５の周方向に連続して形成するリング体７０Ａにより構成される。そして、孔５の周縁６に沿って連続する角部１５が突出部７によって角の丸まった形状に形成されるので、孔５の周縁６に沿って連続する角部１５をなくすことができる。
【００１２】
最良の形態２の孔付き柱状管１によれば、角部１５に設けられて外面２２より突出した表面７１が角を有しない形状に形成された突出部７を備えたので、外面２２に沿って流れる風の流れが突出部７によって乱れるため、孔５での周期的な渦の発生を防止でき、フィードバック発振音の発生を効果的に防止できる。
また、孔５の周縁６に沿って連続する角部１５を突出部７で覆ったことによってなくしたので、角部１５及び孔５での周期的な渦の発生をより効果的に防止できる。
【００１３】
最良の形態３．
図３に示すように、孔付き柱状管１は、端部閉塞又は端部開放の断面円形状に形成された管２であり、管２の周壁２１に周壁２１の内外に貫通するように設けられた１つ以上の孔５と、突出部７とを備える。突出部７は、周壁２１の外面２２と孔５の内周面１１と周壁２１の内面２３とに跨って周壁２１の外面２２側の外面側周縁６ａ及び周壁２１の内面２３側の内面側周縁６ｂを覆うリング体７０Ｂにより形成される。リング体７０Ｂは、断面円形状のリングの外周に、孔５の内周面１１及び周縁６ａ；６ｂが嵌り込むような連続した環状溝８１が形成された構成のものを用いた。即ち、孔５の内周面１１及び周縁６ａ；６ｂがリング体７の環状溝８１内に嵌り込むことで、リング体７０Ｂが孔５の内周面１１及び周縁６ａ；６ｂに取り付けられる。また、環状溝８１の上下に位置して周壁２の外面２２と内面２３とを挟み込む挟み片１８；１９を備え、挟み片１８で外面２２を覆うように、挟み片１９で内面２３を覆うようにして、リング体７０Ｂが取り付けられる。そして、例えば、孔５の内周面１１及び周縁６ａ；６ｂに取り付けられたリング体７０Ｂを孔５の中心線４に沿って切断した突出部７の表面７１の形状が、山形状、円弧形状などのように角を有しない形状に形成される。換言すれば、突出部７は、孔５の内周面１１及び周縁６ａ；６ｂに取り付けられたことで、山形状、円弧形状などのように角を有しない形状の表面７１を孔５の周方向に連続して形成するリング体７０Ｂにより構成される。また、孔５の周縁６ａ；６ｂが、リング体７０Ｂにより覆われた構成としたことで、孔５の周縁６ａ；６ｂに沿って連続する角部１５ａ；１５ｂが突出部７によって角の丸まった形状に形成されるので、孔５の周縁６に沿って連続する角部１５ａ；１５ｂをなくすことができる。
【００１４】
最良の形態３の孔付き柱状管１によれば、孔５に取り付けられて表面７１が角を有しない形状に形成された突出部７を備えたことによって、外面２２に沿って流れる風の流れが突出部７により乱れるため、孔５での周期的な渦の発生を防止でき、フィードバック発振音の発生を効果的に防止できる。
また、孔５の周縁６ａ；６ｂに沿って連続する角部１５ａ；１５ｂを突出部７で覆ったことによってなくしたので、孔５での周期的な渦の発生をより効果的に防止できる。
また、環状溝８１及び挟み片１８；１９を備えたリング体７０Ｂを用いたので、孔５に対するリング体７０Ｂの着脱が容易となり、リング体７０Ｂを簡単に取り付けることができるので、突出部７０を管２に容易に形成できる。
【００１５】
最良の形態４．
最良の形態１乃至最良の形態３では、突出部７０をリング体により形成したが、管２に対して孔５の周縁６に沿うように独立して設けられた図外の複数の突出部形成体によって突出部７０を形成してもよい。即ち、最良の形態１乃至最良の形態３で示した断面形状の表面を有した突出部形成体は、取付面が管２に取り付けられた場合に表面が角を有しない形状に形成された構成である。即ち、最良の形態１乃至最良の形態３で示した断面形状の表面を有した突出部形成体を孔５の周縁６に沿って独立して断続的に設けることで、表面が角を有しない形状の突出部を孔５の周縁６に沿って断続的に設けた構成の孔付き柱状管１としてもよい。最良の形態３のリング体７０Ｂで示した環状溝８１及び挟み片１８；１９と同様の構成の溝及び挟み片を備えた突出部形成体を用いて最良の形態３の突出部を形成すれば、突出部形成体を容易に取り付けることができ、複数の突出部を管２に容易に形成できる。
【００１６】
最良の形態４によれば、複数の突出部形成体を孔５の周縁６に沿って独立して断続的に設けることで、孔５の周縁６に沿って独立して断続的な突出部を複数備えた構成の孔付き柱状管１を得ることができるので、外面２２に沿って流れる風の流れが角を有しない複数の突出部により乱れるため、孔５での周期的な渦の発生を防止でき、フィードバック発振音の発生を効果的に防止できる。
【００１７】
最良の形態５．
図４に示すように、最良の形態１乃至最良の形態４のいずれかに示した突出部を有した複数の孔５を備え、一の孔５の中心線４の延長方向と他の孔５の中心線４の延長方向とが異なる構成の孔付き柱状管１とした。
【００１８】
最良の形態５によれば、一の孔５の中心線４と交差（例えば直交）する方向の風が他の孔５を経由して管２の内側に流入して一の孔５から管２の外側に流出するので、この他の孔５から一の孔５を経由する気流が一の孔５での周期的な渦の発生を防止するので、フィードバック発振音の発生を効果的に防止できる。
【００１９】
最良の形態５において、管２の周方向において互いに隣り合う一方の孔５の中心線４と他方の孔５の中心線４との交差角度αを６０°以上とすることが好ましい。即ち、交差角度αが６０°以上であれば、一の孔５の中心線４と交差する方向の風が他の孔５を経由して管２の内側に流入しやすく、よって、一の孔５での周期的な渦の発生を防止でき、フィードバック発振音の発生をより効果的に防止できる。
【００２０】
最良の形態では、図１乃至図３で示した断面形状の表面を備えた突出部を孔５の周縁６に沿って連続的または断続的に設けた例を示したが、図１乃至図３で示した断面形状の表面を備えた突出部を孔５の縁に対応した１箇所のみに設けてもよい。即ち、周壁２１の外面２２における孔５の縁部の一部に突出部を設けたり、周壁２１の外面２２と孔５の内面とに跨って周壁２１の外面２２側における周縁６の一部の孔縁を覆う突出部を設けたり、周壁２１の外面２２と孔５の内面と周壁の外面２２とに跨って周壁２１の内面２２側及び外面２３側における周縁６の一部の孔縁を覆う突出部を設けた孔付き柱状管１としてもよい。
【産業上の利用可能性】
【００２１】
上述した最良の形態のリング体や突出部形成体は、ゴムやプラスチックのような材料により形成すればよい。また、上述した最良の形態のリング体や突出部形成体と管２とを接着剤により接着すればよい。
管２の断面形状や孔５の形状は、円形以外でもよい。管２や孔５の大きさも特に限定されない。
【図面の簡単な説明】
【００２２】
【図１】孔付き柱状管の突出部の構成を示す図であり、（ａ）図は（ｂ）図のＡ−Ａ断面図、（ｂ）図は平面図（最良の形態１）。
【図２】孔付き柱状管の突出部の構成を示す図であり、（ａ）図は（ｂ）図のＡ−Ａ断面図、（ｂ）図は平面図（最良の形態２）。
【図３】孔付き柱状管の突出部の構成を示す図であり、（ａ）図は（ｂ）図のＡ−Ａ断面図、（ｂ）図は平面図（最良の形態３）。
【図４】孔付き柱状管の斜視図（最良の形態５）。
【図５】孔付き柱状管の斜視図（従来）。
【図６】フィードバック発振音の発生原理を説明した図（従来）。
【符号の説明】
【００２３】
１  孔付き柱状管、２  管、５  孔、５Ａ  孔の中心、
６  孔縁、７  突出部、８  孔の周縁部、２１  周壁、２２  外面、２３  内面、
７０；７０Ａ；７０Ｂ  リング体。
【図１】
2009243497.tif 000003
【図２】
2009243497.tif 000004
【図３】
2009243497.tif 000005
【図４】
2009243497.tif 000006
【図５】
2009243497.tif 000007
【図６】
2009243497.tif 000008